(57)【特許請求の範囲】
【請求項１】
表側から裏側に向けて外気を通過可能とする開口を有するベース部と、当該ベース部の表側に対して固定されると共に前記ベース部から突出する突出部とを備える車両用グリルであって、
前記ベース部の裏面に固定されると共に前記突出部を囲うスリットを有する補強シートと、
前記ベース部の前記スリットを挟んだ一方側領域と他方側領域とに架設される脱落防止具と
を備えることを特徴とする車両用グリル。
【請求項２】
前記脱落防止具は、前記突出部の設けられた前記一方側領域に一端が接続され、前記他方側領域に他端が接続され、湾曲状態で取り付けられる帯状体であることを特徴とする請求項１記載の車両用グリル。
【請求項３】
前記脱落防止具の一端から他端までの長さ寸法は、前記突出部の表側の面と前記他方側領域の前記ベース部の表側の面とが面一となるまで前記一方側領域が前記他方側領域に対して後退した場合に、前記脱落防止具の全体が張る長さ寸法に設定されていることを特徴とする請求項２記載の車両用グリル。
【請求項４】
前記脱落防止具は、前記ベース部よりもヤング率が大きな材料により形成されていることを特徴とする請求項１〜３いずれか一項に記載の車両用グリル。
【請求項５】
前記補強シート及び前記脱落防止具の少なくともいずれか一方が炭素繊維を含む複合材料から形成されていることを特徴とする請求項１〜４いずれか一項に記載の車両用グリル。
【発明の詳細な説明】
【技術分野】
【０００１】
本発明は、車両用グリルに関するものである。
【背景技術】
【０００２】
例えば、特許文献１に開示されているように、車両には、フロントグリル等の車両用グリルが装着されている。特許文献１には、万が一、車両が歩行者に衝突した場合であっても、歩行者への衝撃を緩和すべく、フロントグリルが受けた荷重を水冷エンジン用ラジエータに伝達させる構成が開示されている。
【先行技術文献】
【特許文献】
【０００３】
【特許文献１】特開２００３−８１０３４号公報
【発明の概要】
【発明が解決しようとする課題】
【０００４】
ところで、車両用グリルは、車両の前面に配置され、車両の外観を印象付けるものであることから、エンブレム等が設置される場合がある。このようなエンブレム等は、車両の外側から内側に向けて外気を通気可能とするベース部から車両の前方に突出するようにして設けられることが一般的である。このように、エンブレム等の突出部が車両用グリルに設置されている場合には、衝突時に歩行者に対して突出部が当たり、車両用グリルにおける歩行者の支持面積が小さくなることが考えられる。歩行者への衝突時の衝撃を従来以上に緩和し、歩行者をより適切に保護するためには、極力、車両用グリルにおける上記支持面積を広く確保できることが好ましい。
【０００５】
本発明は、上述する問題点に鑑みてなされたもので、車両用グリルにおいて、車両が歩行者に衝突した場合に、歩行者の支持面積を増やし、従来以上に歩行者の保護を図ることを目的とする。
【課題を解決するための手段】
【０００６】
本発明は、上記課題を解決するための手段として、以下の構成を採用する。
【０００７】
第１の発明は、表側から裏側に向けて外気を通過可能とする開口を有するベース部と、当該ベース部の表側に対して固定されると共に上記ベース部から突出する突出部とを備える車両用グリルであって、上記ベース部の裏面に固定されると共に上記突出部を囲うスリットを有する補強シートと、上記ベース部の上記スリットを挟んだ一方側領域と他方側領域とに架設される脱落防止具とを備えるという構成を採用する。
【０００８】
第２の発明は、上記第１の発明において、上記脱落防止具が、上記突出部の設けられた上記一方側領域に一端が接続され、上記他方側領域に他端が接続され、湾曲状態で取り付けられる帯状体であるという構成を採用する。
【０００９】
第３の発明は、上記第２の発明において、上記脱落防止具の一端から他端までの長さ寸法は、上記突出部の表側の面と上記他方側領域の上記ベース部の表側の面とが面一となるまで上記一方側領域が上記他方側領域に対して後退した場合に、上記脱落防止具の全体が張る長さ寸法に設定されているという構成を採用する。
【００１０】
第４の発明は、上記第１〜第３いずれかの発明において、上記脱落防止具が、上記ベース部よりもヤング率が大きな材料により形成されているという構成を採用する。
【００１１】
第５の発明は、上記第１〜第４いずれかの発明において、上記補強シート及び上記脱落防止具の少なくともいずれか一方が炭素繊維を含む複合材料から形成されているという構成を採用する。
【発明の効果】
【００１２】
本発明によれば、表側から裏側に向けて外気を通過可能とする開口を有するベース部の裏面に対して補強シートが固定され、この補強シートがベース部から突出するようにして設けられる突出部を囲うスリットを有している。このため、歩行者が衝突した場合には、その衝撃力により、ベース部がスリットを境に分割されるようにして割れる。この結果、ベース部の突出部が設けられた領域が、ベース部の周囲の領域に対して、車両の後方に向けて後退する。
【００１３】
さらに、本発明によれば、ベース部のスリットを挟んだ一方側領域と他方側領域とに架設される脱落防止具を備えている。このため、上述のように、ベース部がスリットを境として分割されるようにして割れた場合に、ベース部の突出部が設けられた領域が脱落することなく、歩行者を支持する支持部として機能する。
【００１４】
このような本発明によれば、歩行者が衝突した場合に、ベース部の突出部が設けられた領域を後退させ、さらに突出部が設けられた領域が、その周囲の領域と共に歩行者を支持する。したがって、本発明によれば、車両用グリルにおいて、車両が歩行者に衝突した場合に、歩行者の支持面積を増やし、従来以上に歩行者の保護を図ることが可能となる。
【図面の簡単な説明】
【００１５】
【図１】本発明の一実施形態におけるラジエータグリルを車両の正面側から見た正面図である。
【図２】（ａ）が本発明の一実施形態におけるラジエータグリルを裏側から見た拡大斜視図であり、（ｂ）が図１のＡ−Ａ断面を示す模式図である。
【図３】本発明の一実施形態におけるラジエータグリルに対して歩行者が衝突した場合の動きを示す模式図である。
【発明を実施するための形態】
【００１６】
以下、図面を参照して、本発明に係る車両用グリルの一実施形態について説明する。なお、以下の図面においては、各部材を認識可能な大きさとするために、各部材の縮尺を適宜変更している。
【００１７】
図１は、本実施形態のラジエータグリル１（車両用グリル）を車両の正面側から見た正面図である。本実施形態のラジエータグリル１は、車両の前面側に露出するように設置される樹脂製の外装部品であり、図１に示すように、フレーム２と、網状部３（ベース部）と、エンブレム４（突出部）とを備えている。
【００１８】
フレーム２は、網状部３を囲うように設けられた略矩形状の環状部であり、網状部３やエンブレム４を直接的にあるいは間接的に支持する。このようなフレーム２の裏側には、車体フレームに対して固定される不図示の車体取付部が設置されている。
【００１９】
網状部３は、フレーム２に囲まれた領域に形成されており、ラジエータグリル１よりも車両の内側に異物が侵入することを抑止しつつ外気を取り込み可能としている。すなわち、網状部３は、表側（車両外側）から裏側（車両内側）に向けて外気を通過可能とする開口３ａを多数有している。なお、網状部３の形状はあくまでも一例である。網状部３は、車両の外観印象への寄与が大きな部分であり、車両の種類ごとに様々な形状が採用される。また、網状以外の形状の部材をフレーム２の内側に配置する場合もある。
【００２０】
エンブレム４は、図１に示すように、網状部３の中央に配置されている。このエンブレム４は、網状部３の表側に固定されており、網状部３から車両の前方（網状部３を通過する外気の流れ方向における上流側）に向けて突出して設けられている。
【００２１】
図２（ａ）は、ラジエータグリル１を裏側から見た拡大斜視図である。また、図２（ｂ）は、図１のＡ−Ａ断面を示す模式図である。これらの図に示すように、本実施形態のラジエータグリル１は、補強シート１０と、脱落防止帯１１（脱落防止具）とを備えている。
【００２２】
補強シート１０は、網状部３の裏面側に接着剤等により貼付されることで固定されるシート部材である。この補強シート１０は、網状部３よりも伸びない材料（すなわちヤング率が大きな材料）により形成されている。例えば、網状部３がＡＢＳ樹脂により形成されている場合に、補強シート１０は、炭素繊維を含む複合材料であるＣＦＲＰ（炭素繊維強化プラスチック）等により形成することができる。また、ＣＦＲＰに限られず、ＧＦＲＰ（ガラス繊維強化プラスチック）等の他のＦＲＰ（繊維強化プラスチック）によって補強シート１０を形成することも可能である。
【００２３】
また、本実施形態において補強シート１０は、図１で示す環状の仮想線Ｌに沿って形成されるスリット１０ａ（図２（ａ）参照）を有している。なお、図１に示すように、環状の仮想線Ｌはエンブレム４を囲うように設けられている。つまり、本実施形態において、補強シート１０は、エンブレム４を囲うスリット１０ａを有している。このような補強シート１０は、スリット１０ａが配置される領域を除いて、網状部３を裏面側から支えることにより、ラジエータグリル１の強度を向上させている。
【００２４】
なお、以下の説明においては、表側（すなわち車両の前方側）から見て、スリット１０ａにより囲まれた網状部３の領域を中央領域Ｒ１（一方側領域）と称し、スリット１０ａの外側の領域を周囲領域Ｒ２（他方側領域）と称する。つまり、本実施形態においては、網状部３の中央領域Ｒ１にエンブレム４が形成されている。
【００２５】
脱落防止帯１１は、一端が網状部３の中央領域Ｒ１に接続され、他端が網状部３の周囲領域Ｒ２に接続された帯状体であり、中央領域Ｒ１の周方向に複数配置されている。これらの脱落防止帯１１は、接着剤等により補強シート１０に固着されており、補強シート１０を介して網状部３と接続されている。つまり、脱落防止帯１１の一端は、補強シート１０を介して網状部３の中央領域Ｒ１と接続されている。また、脱落防止帯１１の他端は、補強シート１０を介して網状部３の周囲領域Ｒ２と接続されている。このように脱落防止帯１１は、スリット１０ａを挟んで網状部３の中央領域Ｒ１と網状部３の周囲領域Ｒ２とに架設されている。
【００２６】
このような脱落防止帯１１は、網状部３よりも伸びない材料（すなわちヤング率が大きな材料）により形成されている。例えば、補強シート１０と同一材料により形成することができ、ＣＦＲＰやＧＦＲＰ等のＦＲＰにより形成することができる。
【００２７】
また、これらの脱落防止帯１１は、図２に示すように、弛んだ状態（すなわち湾曲状態）で、一端が網状部３の中央領域Ｒ１に接続され、他端が網状部３の周囲領域Ｒ２に接続されている。このような脱落防止帯１１の一端から他端までの長さ寸法は、網状部３が中央領域Ｒ１と周囲領域Ｒ２とに分割されて中央領域Ｒ１が周囲領域Ｒ２に対して後退した場合に、エンブレム４の表側の面４ａ（図２（ｂ）参照）が周囲領域Ｒ２の表側の面３ｂと同位置となった場合に中央領域Ｒ１の後退を規制する長さ寸法に設定されている。
【００２８】
つまり、脱落防止帯１１の長さ寸法は、エンブレム４の表側の面４ａと、周囲領域Ｒ２の表側の面３ｂとが面一となるまで、中央領域Ｒ１が周囲領域Ｒ２に対して、外気の流れ方向における下流側に後退した場合に、全体が張る長さ寸法に設定されている。
【００２９】
図３は、本実施形態のラジエータグリル１に対して歩行者が衝突した場合の動きを示す模式図である。この図に示すように、本実施形態のラジエータグリル１に対して歩行者が衝突すると、まず突出したエンブレム４に歩行者が当たり、エンブレム４に対して荷重が掛かる。このとき、補強シート１０のスリット１０ａの形成領域が他の領域に対して強度が低いため、網状部３がスリット１０ａを境として割れる。つまり、網状部３の中央領域Ｒ１と周囲領域Ｒ２とが分離される。その後、網状部３の中央領域Ｒ１は、車両の後方に後退し、エンブレム４の表側の面４ａと、周囲領域Ｒ２の表側の面３ｂとが面一となったときに、脱落防止帯１１によって移動が規制される。このとき、本実施形態のラジエータグリル１は、エンブレム４の表側の面４ａと、周囲領域Ｒ２の表側の面３ｂとによって歩行者を支持する。
【００３０】
以上のように、本実施形態のラジエータグリル１によれば、表側から裏側に向けて外気を通過可能とする開口３ａを有する網状部３の裏面に対して補強シート１０が固定され、この補強シート１０が網状部３から突出するようにして設けられるエンブレム４を囲うスリット１０ａを有している。このため、歩行者が衝突した場合には、その衝撃力により、網状部３がスリット１０ａを境に分割されるようにして割れる。この結果、網状部３の中央領域Ｒ１が、周囲領域Ｒ２に対して、車両の後方に向けて後退する。さらに、本実施形態のラジエータグリル１によれば、網状部３の中央領域Ｒ１と周囲領域Ｒ２とに架設される脱落防止帯１１を備えている。このため、上述のように、網状部３がスリット１０ａを境として分割されるようにして割れた場合に、網状部３の中央領域Ｒ１が脱落することなく、歩行者を支持する支持部として機能する。
【００３１】
したがって、本実施形態のラジエータグリル１によれば、歩行者が衝突した場合に、網状部３の中央領域Ｒ１を後退させ、さらに中央領域Ｒ１が、周囲領域Ｒ２と共に歩行者を支持する。よって、本実施形態のラジエータグリル１によれば、車両が歩行者に衝突した場合に、歩行者の支持面積を増やし、従来以上に歩行者の保護を図ることが可能となる。
【００３２】
また、本実施形態のラジエータグリル１によれば、脱落防止帯１１によって網状部３の中央領域Ｒ１が脱落することを防止することができる。このため、網状部３の中央領域Ｒ１が落下して予期せぬ箇所に当たることを防止することが可能となる。
【００３３】
また、本実施形態のラジエータグリル１においては、脱落防止帯１１が、網状部３の中央領域Ｒ１に一端が接続され、網状部３の周囲領域Ｒ２に他端が接続され、湾曲状態で取り付けられる帯状体とされている。このため、極めて簡易な構造にて、中央領域Ｒ１の脱落を防止することができる。
【００３４】
また、本実施形態のラジエータグリル１においては、脱落防止帯１１の長さ寸法は、エンブレム４の表側の面４ａと、周囲領域Ｒ２の表側の面３ｂとが面一となるまで、中央領域Ｒ１が周囲領域Ｒ２に対して、外気の流れ方向における下流側に後退した場合に、全体が張る長さ寸法に設定されている。このため、確実に歩行者からの荷重をエンブレム４の表側の面４ａと、周囲領域Ｒ２の表側の面３ｂとで分散して受けることが可能となり、より従来以上に歩行者への局所的な衝撃を緩和することが可能となる。また、中央領域Ｒ１が周囲領域Ｒ２に対して後退した場合であっても、図３に示すように、破断面が外側に向けて露出することがなく、より適切に歩行者を保護することができる。
【００３５】
また、本実施形態のラジエータグリル１においては、補強シート１０が網状部３よりも伸びにくい材料により形成されている。このため、補強シート１０を設置しない場合と比較して、衝突時の網状部３の予期せぬ変形を抑え、確実にスリット１０ａを境として網状部３を分断することが可能となる。
【００３６】
また、本実施形態のラジエータグリル１においては、脱落防止帯１１も伸びにくい材料により形成されている。このため、エンブレム４の表側の面４ａと、周囲領域Ｒ２の表側の面３ｂとが面一となったときに、中央領域Ｒ１の移動を確実に停止させることができ、確実に歩行者の支持面積を増やし、従来以上に歩行者の保護を図ることが可能となる。
【００３７】
以上、図面を参照しながら本発明の好適な実施形態について説明したが、本発明は上記実施形態に限定されるものではない。上述した実施形態において示した各構成部材の諸形状や組み合わせ等は一例であって、本発明の趣旨から逸脱しない範囲において設計要求等に基づき種々変更可能である。
【００３８】
例えば、上記実施形態においては、スリット１０ａがエンブレム４を中心として一重にのみ形成される構成を採用した。しかしながら、本発明はこれに限定されるものではなく、エンブレム４を中心として環状のスリット１０ａを同心状に複数形成される構成を採用することも可能である。また、上記実施形態において、スリット１０ａの外側領域に線状のスリットを形成する構成を採用することもできる。このように、複数のスリットを形成することにより、歩行者が衝突した場合のラジエータグリル１の割れ方を細かく調整することができる。なお、このような構成を採用する場合であっても、スリットを挟む各々の領域同士が脱落防止具により連結する。これによって、衝突した歩行者を広い面で受け止めることができる。
【００３９】
また、上記実施形態においては、スリット１０ａが、仮想線Ｌに重なる領域の全域に形成された構成について説明した。しかしながら、本発明はこれに限定されるものではなく、仮想線Ｌに重なる領域において、間欠的に複数配列されるように形成することも可能である。つまり、補強シート１０が上記実施形態におけるスリット１０ａを横断するようなブリッジ部を有する構成を採用することも可能である。
【００４０】
また、上記実施形態においては、本発明の車両用グリルをラジエータグリル１に適用した構成について説明した。しかしながら、本発明はこれに限定されるものではなく、他の車両用グリルに適用することも可能である。例えば、車両がラジエータグリルと、このラジエータグリルの上部に配置されるフロントグリルとを備え、フロントグリルに対してエンブレムが設置される場合には、フロントグリルに本発明を適用することも可能である。
【００４１】
また、上記実施形態においては、本発明における突出部がエンブレム４である構成について説明した。しかしながら、本発明はこれに限定されるものではなく、他の突出部（例えば、装飾用の突出部）が形成された車両用グリルに本発明を適用することも可能である。
【００４２】
また、上記実施形態においては、脱落防止具が帯状の脱落防止帯１１である構成について説明した。しかしながら、本発明はこれに限定されるものではない。例えば、エンブレム４を中心とした周方向の全域に亘って連続的に設けられる環状のシート状の脱落防止具を採用することも可能である。
【００４３】
また、上記実施形態においては、脱落防止帯１１が湾曲状態で網状部３の中央領域Ｒ１と周囲領域Ｒ２とに架設される構成を採用した。しかしながら、本発明はこれに限定されるものではない。例えば、脱落防止帯１１を屈曲状態で網状部３の中央領域Ｒ１と周囲領域Ｒ２とに架設される構成を採用することも可能である。また、脱落防止帯１１を蛇腹状に折り畳んだ構成を採用することもできる。このように、脱落防止帯１１を蛇腹状に折り畳んだ場合には、通常時において、脱落防止帯１１がラジエータグリル１の裏側において垂れ下がることを防止し、風圧により脱落防止帯１１が振動して音が生じることを防止することができる。
【符号の説明】
【００４４】
１……ラジエータグリル（車両用グリル）、２……フレーム、３……網状部、３ａ……開口、４……エンブレム、１０……補強シート、１０ａ……スリット、１１……脱落防止帯（脱落防止具）、Ｒ１……中央領域（一方側領域）、Ｒ２……周囲領域（他方側領域）
【図１】
0006349338.tif 000002
【図２】
0006349338.tif 000003
【図３】
0006349338.tif 000004